(57)【要約】【課題】水分を含んだ物品や転がり易い物品を載置した際の不都合を解消し得る棚板を提供する。【解決手段】収納棚に配設された状態で物品を載置可能に構成されると共に、物品を載置する載置板７１が板材によって形成され、載置板７１は、板材を折り曲げることによって収納棚の前面側に位置する縁部（斜面部７１ｂ）が上向きの斜面に形成されている。この場合、載置板７１における前面側の縁部から下向きに連接する前板７２を板材を折り曲げることによって載置板７１と一体に形成することができる。【選択図】図６
2006314383.tif 000002
【特許請求の範囲】
【請求項１】
収納棚に配設された状態で物品を載置可能に構成されると共に、前記物品を載置する載置板が板材によって形成された棚板であって、
前記載置板は、前記板材を折り曲げることによって前記収納棚の前面側に位置する縁部が上向きの斜面に形成されている棚板。
【請求項２】
前記載置板における前記前面側の縁部から下向きに連接する前板を備え、
前記前板は、前記板材を折り曲げることによって前記載置板と一体に形成されている請求項１記載の棚板。
【請求項３】
前記前板の下側の縁部から前記収納棚の背面側に向けて連接する下板を備え、
前記下板は、前記板材を折り曲げることによって前記前板と一体に形成されている請求項２記載の棚板。
【請求項４】
請求項１から３のいずれかに記載の棚板と、前記棚板の両側部を支持する少なくとも一対の壁板とを備えている収納棚。
【請求項５】
前記壁板は、板材によって形成されて前記前面に直交する方向に沿って配設された本体部と、前記板材を折り曲げることによって前記本体部における前記前面側の縁部から当該本体部に対して直交する方向に沿って当該本体部に一体形成された前面部と、前記板材を折り曲げることによって前記前面部における縁部から当該前面部に対して直交しかつその先端部が前記前面に対向する背面側に向かうように当該前面部に一体形成されると共に当該背面側の縁部にＶ字状の第１切り欠き部が形成された折り返し部とを備えて構成され、
前記棚板は、前記載置板、前記前板および前記下板の一部を切り欠くことによって前記両側部の少なくとも一方における前記前面側の角部に第２切り欠き部が形成されて構成されると共に、当該棚板における前記第２切り欠き部を構成する縁部と前記壁板における前記第１切り欠き部を構成する縁部とが係合することによって当該壁板に支持されている請求項４記載の収納棚。
【請求項６】
前記折り返し部は、前記第１切り欠き部を構成する上側の縁部の傾斜角度が前記載置板における斜面の傾斜角度と同一またはほぼ同一の角度となるように形成されている請求項５記載の収納棚。
【発明の詳細な説明】
【技術分野】
【０００１】
本発明は、物品を載置可能に構成されると共に物品を載置する載置板が板材によって形成された棚板、およびその棚板を備えた収納棚に関するものである。
【背景技術】
【０００２】
この種の収納棚として、実開平７−２４１４５号公報に開示されたロッカーが知られている。このロッカーは、ロッカー本体、仕切板および棚板などを備えて構成され、仕切板や棚板によって仕切られたロッカー本体内部の収納スペースに衣類等を収納可能に構成されている。
【特許文献１】実開平７−２４１４５号公報（第５頁、第３図）
【発明の開示】
【発明が解決しようとする課題】
【０００３】
ところが、従来のロッカーには、以下の問題点がある。すなわち、このロッカーを初めとするこの種のロッカーでは、一般的に、棚板の載置面が平板状に形成されている。このため、この種のロッカーでは、例えば、雨に濡れた衣類などを棚板上に載置したときには、付着している水滴が棚板の手前側から滴下して他の収納物に付着して、その収納物が汚れるおそれがあるという問題点が存在する。また、この棚板を備えたロッカーに扉がないときには、ボールなどの転がり易い物品を載置した際に、その物品が転動して棚板の手前側から落下するおそれがあるという問題点も存在する。
【０００４】
本発明は、かかる問題点に鑑みてなされたものであり、水分を含んだ物品や転がり易い物品を載置した際の不都合を解消し得る棚板および収納棚を提供することを主目的とする。
【課題を解決するための手段】
【０００５】
上記目的を達成すべく請求項１記載の棚板は、収納棚に配設された状態で物品を載置可能に構成されると共に、前記物品を載置する載置板が板材によって形成された棚板であって、前記載置板は、前記板材を折り曲げることによって前記収納棚の前面側に位置する縁部が上向きの斜面に形成されている。
【０００６】
請求項２記載の棚板は、請求項１記載の棚板において、前記載置板における前記前面側の縁部から下向きに連接する前板を備え、前記前板は、前記板材を折り曲げることによって前記載置板と一体に形成されている。
【０００７】
請求項３記載の棚板は、請求項２記載の棚板において、前記前板の下側の縁部から前記収納棚の背面側に向けて連接する下板を備え、前記下板は、前記板材を折り曲げることによって前記前板と一体に形成されている。
【０００８】
請求項４記載の収納棚は、請求項１から３のいずれかに記載の棚板と、前記棚板の両側部を支持する少なくとも一対の壁板とを備えている。
【０００９】
請求項５記載の収納棚は、請求項４記載の収納棚において、前記壁板は、板材によって形成されて前記前面に直交する方向に沿って配設された本体部と、前記板材を折り曲げることによって前記本体部における前記前面側の縁部から当該本体部に対して直交する方向に沿って当該本体部に一体形成された前面部と、前記板材を折り曲げることによって前記前面部における縁部から当該前面部に対して直交しかつその先端部が前記前面に対向する背面側に向かうように当該前面部に一体形成されると共に当該背面側の縁部にＶ字状の第１切り欠き部が形成された折り返し部とを備えて構成され、前記棚板は、前記載置板、前記前板および前記下板の一部を切り欠くことによって前記両側部の少なくとも一方における前記前面側の角部に第２切り欠き部が形成されて構成されると共に、当該棚板における前記第２切り欠き部を構成する縁部と前記壁板における前記第１切り欠き部を構成する縁部とが係合することによって当該壁板に支持されている。
【００１０】
請求項６記載の収納棚は、請求項５記載の収納棚において、前記折り返し部は、前記第１切り欠き部を構成する上側の縁部の傾斜角度が前記載置板における斜面の傾斜角度と同一またはほぼ同一の角度となるように形成されている。
【発明の効果】
【００１１】
請求項１記載の棚板によれば、板材を折り曲げることによって載置板における前面側の縁部を上向きに傾斜する斜面に形成したことにより、例えば、水分を含んだ靴などを載置して水が流れ出たとしても、その水を斜面によって確実にせき止めることができる。このため、流れ出た水が棚板の前面側から滴下して他の物品に付着するような不都合を確実に防止することができる。また、ボールなどの転がり易い物品を載置したとしても、斜面によってその転がりを防止することができるため、このような物品が棚板から落下するような不都合を確実に防止することができる。また、板材を折り曲げて斜面を形成することにより、その傾斜角度を任意に規定した斜面を確実かつ容易に形成することができる。
【００１２】
また、請求項２記載の棚板によれば、載置板における前面側の縁部から下向きに連接する前板を備えたことにより、棚板の強度を向上させることができる。また、板材を折り曲げることによって前板を載置板と一体に形成したことにより、鋭利な縁部が前面側に露出しないため、物品を載置する際の安全性を十分に確保することができる。
【００１３】
また、請求項３記載の棚板によれば、前板の下側の縁部から収納棚の背面側に向けて連接する下板を備えたとにより、棚板の強度をさらに向上させることができる。また、板材を折り曲げることによって下板を前板と一体に形成したことにより、鋭利な縁部が前板の下側にも露出しないため、物品を載置する際の安全性をさらに向上させることができる。
【００１４】
また、請求項４記載の収納棚によれば、棚板の両側部を支持する少なくとも一対の壁板を備えたことにより、棚板を確実に固定することができるため、棚板への物品の載置能力を十分に向上させることができる。
【００１５】
また、請求項５記載の収納棚によれば、本体部、前面部および折り返し部を備えて壁板を構成したことにより、壁板の強度を向上させることができる。したがって、収納棚の強度を十分に向上させることができる。また、板材を折り曲げることによって前面部を本体部と一体に形成すると共に、板材を折り曲げることによって折り返し部を前面部と一体に形成したことにより、鋭利な縁部が前面側に露出しないため、収納棚に物品を出し入れする際の安全性を十分に確保することができる。また、棚板における第２切り欠き部を構成する縁部と壁板における第１切り欠き部を構成する縁部とを係合することによって棚板を壁板に支持させることにより、棚板を確実かつ容易に配設することができる。また、棚板をより確実に固定することができるため、棚板への物品の載置能力をさらに向上させることができる。
【００１６】
また、請求項６記載の収納棚によれば、第１切り欠き部を構成する上側の縁部の傾斜角度が載置板における斜面の傾斜角度と同一またはほぼ同一の角度となるように折り返し部を形成したことにより、折り返し部における第１切り欠き部を構成する上側の縁部と斜面との間に隙間のない状態で棚板を配設することができる。したがって、その部位の外観が良好な収納棚を構成することができる。
【発明を実施するための最良の形態】
【００１７】
以下、本発明に係る棚板および収納棚の最良の形態について、添付図面を参照して説明する。
【００１８】
最初に、下駄箱１の構成について説明する。
【００１９】
図１に示す下駄箱１は、本発明に係る収納棚の一例であって、天板２、背板３、側板４，５、仕切板６，６、複数（例えば８枚）の棚板７，７・・、および複数（例えば４枚）の棚板８，８・・を備えて構成されている。また、下駄箱１は、各板２〜８を互いに連結することにより、例えば、横３列で縦４段の収納空間を有する縦長の箱状に構成されている。この場合、側板４，５、仕切板６，６が本発明における壁板に相当する。
【００２０】
天板２は、図１に示すように、下駄箱１の天井部分を構成する部材であって、スチール製の板材（以下、単に「板材」ともいう）を折り曲げることにより、全体として矩形の平板状に形成されている。背板３は、下駄箱１の背面部分を構成する部材であって板材によって矩形の薄板状に形成されている。また、背板３には、図２に示すように、棚板７を支持するための複数の支持部３ａ，３ａ・・が形成されている。
【００２１】
側板４は、図１に示すように、下駄箱１の左側の面を構成する部材であって、全体として矩形の平板状に形成されている。また、側板４は、図３に示すように、本体部４１、前面部４２および折り返し部４３を備えて構成され、本体部４１が下駄箱１の前面１ａに対して直交する方向に沿うようにして配設されている。この場合、各部４１〜４３は、１枚の矩形の板材における１辺の縁部を、それぞれ所定幅分だけ右側に向けて直角（またはほぼ直角）に２回折り曲げることによって形成されている。つまり、前面部４２は、同図に示すように、本体部４１における前面１ａ側の縁部から本体部４１に対して直角をなすようにして本体部４１に一体形成されている。また、折り返し部４３は、前面部４２における右側の縁部から前面部４２に対して直角をなし、かつその先端部が背面１ｂ側に向かうようにして前面部４２に一体形成されている。また、本体部４１には、図２に示すように、棚板７，７・・の縁部を支持するための支持部１１，１１・・がその内側の面に形成されている。また、折り返し部４３における背面１ｂ側の縁部には、同図に示すように、棚板７の前面側を支持するためのＶ字状の切り欠き部１３（本発明における第１切り欠き部に相当する）が形成されている。この場合、折り返し部４３は、切り欠き部１３を構成する上側の縁部の傾斜角度が後述する棚板７の載置板７１における斜面７１ｂの傾斜角度と同一またはほぼ同一の角度となるように形成されている。
【００２２】
側板５は、図１に示すように、下駄箱１の右側の面を構成する部材であって、全体として矩形の平板状に形成されている。なお、側板４の構成要素と同一の構成要素については、同一の符号を付して、重複した説明を以下省略する。また、側板５は、図３に示すように、本体部５１、前面部５２および折り返し部５３を備えて構成され、本体部５１が下駄箱１の前面１ａに対して直交する方向に沿うように配設されている。この場合、各部５１〜５３は、１枚の矩形の板材における１辺の縁部を、それぞれ所定幅分だけ左側に向けて直角（またはほぼ直角）に２回折り曲げることによって形成されている。つまり、前面部５２は、同図に示すように、本体部５１における前面１ａ側の縁部から本体部５１に対して直角をなすようにして本体部５１に一体形成されている。また、折り返し部５３は、前面部５２における左側の縁部から前面部５２に対して直角をなし、かつその先端部が背面１ｂ側に向かうようにして前面部５２に一体形成されている。また、本体部５１には、上記した支持部１１，１１・・がその内側の面に形成されている。また、折り返し部５３における背面１ｂ側の縁部には、上記した切り欠き部１３が形成されている。
【００２３】
仕切板６は、図１に示すように、下駄箱１の内部空間を左右方向に仕切るための部材であって、全体として矩形の平板状に形成されている。また、仕切板６は、図３に示すように、本体部６１、前面部６２および折り返し部６３を備えて構成され、本体部６１が下駄箱１の前面１ａに対して直交する方向に沿うように配設されている。この場合、各部６１〜６３は、上記した側板４の本体部４１、前面部４２および折り返し部４３と同様にして、１枚の矩形の板材を折り曲げることによって形成されている。つまり、前面部６２は、同図に示すように、本体部６１における前面１ａ側の縁部から本体部６１に対して直角をなすようにして本体部６１に一体形成され、折り返し部６３は、前面部６２における右側の縁部から前面部６２に対して直角をなし、かつその先端部が背面１ｂ側に向かうようにして前面部６２に一体形成されている。また、本体部６１には、図５に示すように、上記した支持部１１，１１・・がその両側の面に形成されると共に、棚板７，７・・の縁部における前面１ａ側を支持する支持孔１２が形成されている。また、折り返し部６３における背面１ｂ側の縁部には、図示しないが、上記した切り欠き部１３が形成されている。
【００２４】
棚板７は、図１に示すように、仕切板６によって仕切られた内部空間１ｃ，１ｄ（図３参照）に配設されている。また、棚板７は、配設された状態で靴等の物品を載置可能な全体として矩形の平板状に形成されている。また、棚板７は、図６に示すように、載置板７１、前板７２、下板７３および係合板７４ａ，７４ｂ，７４ｃ（以下、区別しないときには「係合板７４」ともいう）を備えて構成されている。載置板７１は、配設状態において天板２に対して平行（またはほぼ平行）となるように形成された平面部７１ａと、配設状態において前面１ａ側（手前側）に位置して上向きに傾斜している斜面部７１ｂとで構成されている。この場合、斜面部７１ｂは、１枚の矩形の板材における１辺側（同図における手前側）を、上向きに折り曲げることによって形成されている。ここで、斜面部７１ｂの傾斜角度は、例えば水に濡れた物品が載置板７１（平面部７１ａ）に載置されて水が流れ出たとしても、その水を斜面部７１ｂによってせき止める程度の角度であって、かつ物品を収納（載置）したり取り出したりする際の支障とならない角度（一例として１０度以上３０度以下の範囲内）に規定されている。
【００２５】
前板７２および下板７３は、上記の板材における１辺側（図６における手前側）の縁部を、それぞれ所定幅分だけ下側に向けて直角（またはほぼ直角）に２回折り曲げることによって形成されている。つまり、前板７２は、同図に示すように、載置板７１の斜面部７１ｂにおける前面１ａ側の縁部から下向きに連接するようにして載置板７１に一体形成されている。また、下板７３は、前板７２における下側の縁部から背面１ｂ側に向けて連接するようにして前板７２に一体形成されている。係合板７４ａ，７４ｂ，７４ｃは、上記の板材の３辺（同図における左側、奥側および右側）の縁部をそれぞれ下側に向けて直角（またはほぼ直角）に折り曲げることによって形成されている。また、棚板７には、同図に示すように、載置板７１、前板７２および下板７３の各一部を切り欠くことにより、左側部（本発明における両側部の一方）における前面１ａ側の角部に切り欠き部７ａ（本発明における第２の切り欠き部に相当する）が形成されている。また、棚板７には、前板７２の右側端部を突出させることにより、右側部における前面１ａ側の角部に突起部７ｂが形成されている。この場合、棚板７は、図２に示すように、係合板７４ｂが背板３の支持部３ａに係合されることにより、背面１ｂ側の縁部が背板３によって支持されている。また、棚板７は、係合板７４ａ，７４ｃが側板４（または仕切板６）の支持部１１に係合されることにより、左右の縁部が側板４および仕切板６（または仕切板６，６）によって支持される。さらに、棚板７は、図４に示すように、突起部７ｂが仕切板６における本体部６１の支持孔１２に差し込まれることにより、右側部における前面１ａ側が仕切板６によって支持される。また、棚板７は、側板４（または仕切板６）における切り欠き部１３を構成する縁部と棚板７における切り欠き部７ａを構成する縁部とが互いに係合（以下、単に、「切り欠き部１３と切り欠き部７ａとの係合」ともいう）することにより、左側部における前面１ａ側が側板４（または仕切板６）によって支持される。この場合、切り欠き部１３における上側の縁部の傾斜角度が棚板７における載置板７１の斜面部７１ｂの傾斜角度と同一またはほぼ同一の角度のため、切り欠き部１３の上側の縁部と斜面部７１ｂとの間に隙間のない状態で切り欠き部１３と切り欠き部７ａとが係合する。
【００２６】
棚板８は、図１に示すように、仕切板６によって仕切られた内部空間１ｅ（図３参照）に配設されている。この場合、棚板８は、図７に示すように、棚板７の突起部７ｂに代えて、切り欠き部７ａとは左右対称の形状の切り欠き部８ｂ（本発明における第２の切り欠き部に相当する）が右側部（本発明における両側部の他方）における前面１ａ側（同図における手前側）の角部に形成され、それ以外は棚板７と同じ構成要素を備えて構成されている。なお、棚板７の構成要素と同一の構成要素については同一の符号を付して重複した説明を省略する。また、棚板８は、係合板７４ａ，７４ｂ，７４ｃが仕切板６の支持部１１、背板３の支持部３ａ、および側板５の支持部１１にそれぞれ係合することにより、左右および背面１ｂ側の縁部が各板６，５，３によって支持されている。また、棚板８は、仕切板６における切り欠き部１３を構成する縁部と棚板８における切り欠き部８ａを構成する縁部とが互いに係合すると共に側板５における切り欠き部１３を構成する縁部と棚板８における切り欠き部８ａを構成する縁部とが互いに係合することにより、左右の側部における前面１ａ側が仕切板６および側板５によって支持されている。
【００２７】
次に、下駄箱１の組み立て方法の一例について、図面を参照して説明する。
【００２８】
まず、背板３における左側の縁部と側板４における背面側の縁部とを互いに当接させた状態で、例えば溶接機を用いて両縁部を接合する。次いで、背板３における右側の縁部と側板５における背面側の縁部とを互いに当接させた状態で、両縁部を接合する。続いて、背板３の内側の面に仕切板６，６における背面側の縁部を当接させた状態で、各当接部を接合する。次いで、背板３、側板４、側板５および仕切板６，６の各々の上側の縁部に天板２における内側の面を当接させた状態で、各当接部を接合する。これにより、天板２、背板３、側板４、側板５および仕切板６，６によって前面１ａ側が開口した３つの内部空間１ｃ，１ｄ，１ｅ（図３参照）が形成される。続いて、前面１ａ側から内部空間１ｃに３枚の棚板７を挿入し、各棚板７，７，７を背板３、側板４および仕切板６に支持させて、各支持部位を接合する。次いで、前面１ａ側から内部空間１ｄに３枚の棚板７を挿入し、各棚板７，７，７を背板３および仕切板６，６に支持させて、各支持部位を接合する。続いて、前面１ａ側から内部空間１ｅに３枚の棚板８，８，８挿入し、各棚板８，８，８を背板３、側板５および仕切板６に支持させて、各支持部位を接合する。これにより１２個の収納空間を有する下駄箱１が完成する。この場合、この下駄箱１では、載置板７１に斜面部７１ｂが形成されているため、水分を含んだ靴などを載置して水が流れ出たとしても、その水を斜面部７１ｂによって確実にせき止めることが可能となっている。また、ボールなどの転がり易い物品を載置したとしても、斜面部７１ｂによってその転がりを防止することが可能となっている。
【００２９】
このように、この下駄箱１および棚板７によれば、板材で構成された載置板７１における前面１ａ側の縁部を上向きに傾斜する斜面に形成したことにより、例えば、水分を含んだ靴などを載置して水が流れ出たとしても、その水を斜面部７１ｂによって確実にせき止めることができる。このため、流れ出た水が棚板７の前面１ａ側から滴下して他の物品に付着するような不都合を確実に防止することができる。また、ボールなどの転がり易い物品を載置したとしても、斜面部７１ｂによってその転がりを防止することができるため、このような物品が棚板７から落下するような不都合を確実に防止することができる。また、板材で形成された載置板７１を折り曲げて斜面部７１ｂを形成することにより、その傾斜角度を任意に規定した斜面部７１ｂを確実かつ容易に形成することができる。
【００３０】
また、この下駄箱１および棚板７によれば、載置板７１における前面１ａ側の縁部から下向きに連接する前板７２を備えたことにより、棚板７の強度を向上させることができる。また、板材を折り曲げることによって前板７２を載置板７１と一体に形成したことにより、鋭利な縁部が前面１ａ側に露出しないため、下駄箱１に物品を出し入れする際の安全性を十分に確保することができる。
【００３１】
さらに、この下駄箱１および棚板７によれば、前板７２の下側の縁部から背面１ｂ側に向けて連接する下板７３を備えたとにより、棚板７の強度をさらに向上させることができる。また、板材を折り曲げることによって下板７３を前板７２と一体に形成したことにより、鋭利な縁部が前板７２の下側にも露出しないため、下駄箱１に物品を出し入れする際の安全性をさらに向上させることができる。
【００３２】
また、この下駄箱１によれば、側板４、側板５、仕切板６が棚板７の両側部を支持することにより、棚板７を確実に固定することができるため、棚板７への物品の載置能力を十分に向上させることができる。
【００３３】
また、この下駄箱１によれば、本体部４１、前面部４２および折り返し部４３を備えて側板４を構成し、支持部５１ａ、前面部５２および折り返し部５３を備えて側板５を構成し、本体部６１、前面部６２および折り返し部６３を備えて仕切板６を構成したことにより、側板４，５、仕切板６の強度を向上させることができる。したがって、下駄箱１の強度を十分に向上させることができる。また、板材を折り曲げることによって前面部４２，５２，６２を本体部４１，５１，６１とそれぞれ一体に形成すると共に、板材を折り曲げることによって折り返し部４３，５３，６３を前面部４２，５２，６２とそれぞれ一体に形成したことにより、鋭利な縁部が前面１ａ側に露出しないため、下駄箱１に物品を出し入れする際の安全性を十分に確保することができる。また、側板４，５および仕切板６における切り欠き部１３を構成する縁部と棚板７，８における切り欠き部７ａ（または切り欠き部８ｂ）を構成する縁部とを互いに係合させて棚板７の前面１ａ側を各板４，５，６に支持させることにより、棚板７を確実かつ容易に配設することができる。また、棚板７をより確実に固定することができるため、棚板７への物品の載置能力をさらに向上させることができる。
【００３４】
また、この下駄箱１によれば、切り欠き部１３を構成する上側の縁部の傾斜角度が載置板７１における斜面部７１ｂの傾斜角度と同一またはほぼ同一の角度となるように折り返し部４３，５３，６３を形成したことにより、折り返し部４３，５３，６３における切り欠き部１３を構成する上側の縁部と斜面部７１ｂとの間に隙間のない状態で棚板７を配設することができる。したがって、その部位の外観が良好な下駄箱１を構成することができる。
【００３５】
なお、本発明は、上記の構成に限定されない。例えば、下駄箱１に本発明を適用した例について上記したが、これに限定されず、書庫やロッカーなどの各種の収納棚に適用することができる。また、下駄箱１の前側に扉を備えた構成を採用することもできる。また、下駄箱１を構成する各板をスチール製の板材で形成した例について上記したが、アルミニウム等のスチール以外の金属や各種の合金で構成された板材で各板を形成することができる。さらに、棚板７の下板７３の奥側の端部をさらに折り曲げた構成を採用することもできる。また、棚板の取り付け位置を任意に変更可能な自在棚に本発明を適用することもできる。また、上記の各構成を適宜組み合わせることが可能なのは勿論である。
【図面の簡単な説明】
【００３６】
【図１】下駄箱１の斜視図である。
【図２】図１におけるＡ面断面図である。
【図３】図２におけるＢ−Ｂ線断面図である。
【図４】仕切板６の構成を示す断面図である。
【図５】図１におけるＣ面断面図である。
【図６】棚板７の斜視図である。
【図７】棚板８の斜視図である。
【符号の説明】
【００３７】
１  下駄箱
１ａ  前面
１ｂ  背面
４，５  側板
６  仕切板
７，８  棚板
７ａ，８ｂ，１３  切り欠き部
４１，５１，６１  本体部
４２，５２，６２  前面部
４３，５３，６３  折り返し部
７１  載置板
７１ｂ  斜面部
７２  前板
７３  下板
【図１】
2006314383.tif 000003
【図２】
2006314383.tif 000004
【図３】
2006314383.tif 000005
【図４】
2006314383.tif 000006
【図５】
2006314383.tif 000007
【図６】
2006314383.tif 000008
【図７】
2006314383.tif 000009